(57)【要約】【目的】撮影済みのロールフィルムを容易に切断することができる写し込み機能付きカメラを得る。【構成】ロールフィルムを使用する写し込み機能付きカメラ１において、ロールフィルムＦの駒と駒の中間位置を指示する中間指標Ｄを、該ロールフィルムＦに写し込む写し込みＬＥＤ１２を備えた。【選択図】　図５
2004061607.tif 000002
【特許請求の範囲】
【請求項１】
ロールフィルムを使用する写し込み機能付きカメラにおいて、ロールフィルムの撮影済みの駒と撮影済みの駒との中間位置を指示する中間指標を、前記ロールフィルムに写し込む写し込み手段を備えたことを特徴とする写し込み機能付きカメラ。
【請求項２】
請求項１記載の写し込み機能付きカメラにおいて、さらに、ロールフィルムの駒内領域に対応する被写体領域の輝度を測定する測光手段と；該測光手段の測光値が所定値以下であった場合に、前記写し込み手段による中間指標の写し込みを実行させる制御手段と；を備えた写し込み機能付きカメラ。
【請求項３】
請求項１記載の写し込み機能付きカメラにおいて、さらに、ロールフィルムの駒内領域に対応する被写体領域を複数の測光領域に分割し、各測光領域毎に測光可能な分割測光手段と；前記被写体領域の外周部に位置する測光領域の測光値が所定値以下であった場合に、前記写し込み手段による中間指標の写し込みを実行させる制御手段と；を備えた写し込み機能付きカメラ。
【請求項４】
請求項１ないし３のいずれか一項に記載の写し込み機能付きカメラにおいて、前記中間指標は、上下一対の指標である写し込み機能付きカメラ。
【請求項５】
請求項２または３記載の写し込み機能付きカメラにおいて、前記制御手段は、前記写し込み手段による中間指標の写し込みを、前記ロールフィルムへの露光を開始させるシャッタボタン操作に連動して行なわせる写し込み機能付きカメラ。
【請求項６】
請求項２または３記載の写し込み機能付きカメラにおいて、前記制御手段は、前記写し込み手段による中間指標の写し込みを、前記ロールフィルムの１駒巻上げ動作に連動して行なわせる写し込み機能付きカメラ。
【請求項７】
請求項２または３記載の写し込み機能付きカメラにおいて、前記制御手段は、前記写し込み手段による中間指標の写し込みを、前記ロールフィルムの巻き戻し動作時に一括して行なわせる写し込み機能付きカメラ。
【請求項８】
請求項１ないし７のいずれか一項に記載の写し込み機能付きカメラにおいて、前記写し込み手段は、撮影に関する各種データを前記ロールフィルムのパーフォレーション間に写し込むパーフォレーション間写し込み手段であって、前記中間指標がパーフォレーション間に写し込まれる写し込み機能付きカメラ。
【請求項９】
請求項１ないし７のいずれか一項に記載の写し込み機能付きカメラにおいて、前記写し込み手段は、前記ロールフィルムの駒内領域に日付データを写し込む日付写し込み手段である写し込み機能付きカメラ。
【請求項１０】
請求項１ないし９のいずれか一項に記載の写し込み機能付きカメラにおいて、前記写し込み手段は、カメラボディに設けられ、該カメラボディ側から前記ロールフィルムに写し込みを行なう写し込み機能付きカメラ。
【請求項１１】
請求項１ないし９のいずれか一項に記載の写し込み機能付きカメラにおいて、前記写し込み手段は、カメラボディ裏蓋に設けられ、該裏蓋側から前記ロールフィルムに写し込みを行なう写し込み機能付きカメラ。
【請求項１２】
請求項１ないし１１のいずれか一項に記載の写し込み機能付きカメラにおいて、前記写し込み手段はＬＥＤである写し込み機能付きカメラ。
【請求項１３】
請求項１ないし１１のいずれか一項に記載の写し込み機能付きカメラにおいて、前記写し込み手段は電球である写し込み機能付きカメラ。
【請求項１４】
ロールフィルムを使用する写し込み機能付きカメラにおいて、ロールフィルムの撮影済の駒の境界を指示する境界指標を、前記ロールフィルムに写し込む写し込み手段を備えたことを特徴とする写し込み機能付きカメラ。
【発明の詳細な説明】
【０００１】
【発明の技術分野】
本発明は、ロールフィルムを使用する写し込み機能付きカメラに関する。
【０００２】
【従来技術およびその問題点】
従来のカメラでは、感光材料として、ロールフィルムが最も広く使用されている。ロールフィルムはスプールと呼ばれる芯に巻かれた長いフィルムであるが、現像終了後は保管しやすいように数駒（若しくは一駒）毎に切断される。このフィルム切断の際には、撮影済みの駒を切断してしまわないよう、駒内領域と駒外領域との境界を見極めることが必要である。しかしながら、夜景などを撮影した場合には、駒内領域と駒外領域との境界がはっきりしないため、どの位置で切断してよいのか判断が難しかった。
【０００３】
【発明の目的】
本発明は、撮影済みのロールフィルムを容易に切断することができる写し込み機能付きカメラを得ることを目的とする。
【０００４】
【発明の概要】
本発明は、ロールフィルムを使用する写し込み機能付きカメラにおいて、ロールフィルムの撮影済みの駒と撮影済みの駒との中間位置を指示する中間指標を、前記ロールフィルムに写し込む写し込み手段を備えたことに特徴を有している。
【０００５】
上記構成によれば、ロールフィルムに写し込まれた中間指標を目安として、ロールフィルムを容易に切断することができる。
【０００６】
上記写し込み機能付きカメラは、さらに、ロールフィルムの駒内領域に対応する被写体領域の輝度を測定する測光手段と；該測光手段の測光値が所定値以下であった場合に、前記写し込み手段による中間指標の写し込みを実行させる制御手段と；を備えることが好ましい。この場合には、被写体領域全体の輝度に応じて、中間指標の写し込みを実行させるか否かが決定される。すなわち、駒内領域と駒外領域との境界を視認しづらい程に撮影領域が低輝度であるときは写し込みが行なわれ、駒内領域と駒外領域との境界をはっきり視認できる程度に被写体領域が高輝度であるときは写し込みが行われない。
あるいは、ロールフィルムの駒内領域に対応する被写体領域を複数の測光領域に分割し、各測光領域毎に測光可能な分割測光手段と；前記被写体領域の外周部に位置する測光領域の測光値が所定値以下であった場合に、前記写し込み手段による中間指標の写し込みを実行させる制御手段と；を備えることが好ましい。この場合には、被写体領域全体の輝度ではなく、被写体領域の外周部の輝度に応じて、中間指標の写し込みを実行させるか否かが決定される。すなわち、被写体領域全体が明るくても被写体領域の外周部が暗い場合には写し込みが行なわれ、被写体領域全体が暗くても被写体領域の外周部が明るい場合には写し込みが行なわれない。以上のように写し込み動作の有無を切り替えれば、消費電力の節約につながる。
【０００７】
中間指標は、上下一対の指標であることが好ましい。この上下一対の指標を用いれば、該指標を結ぶ直線で正確にロールフィルムを切断することができる。
【０００８】
制御手段は、写し込み手段による中間指標の写し込みを、ロールフィルムへの露光を開始させるシャッタボタン操作に連動して行なわせるか、またはロールフィルムの１駒巻上げ動作に連動して行なわせるか、あるいはロールフィルムの巻き戻し動作時に一括して行なわせることができる。
【０００９】
上記写し込み手段には、撮影に関する各種データをロールフィルムのパーフォレーション間に写し込むパーフォレーション間写し込み手段を用いることができる。この場合には、撮影に関する各種データと同様、中間指標もパーフォレーション間に写し込まれる。また写し込み手段には、ロールフィルムの駒内領域に日付データを写し込む日付写し込み手段を用いてもよい。
【００１０】
上記写し込み手段は、カメラボディに設けられ、該カメラボディ側から前記ロールフィルムに写し込みを行なうことができる。あるいは、カメラボディ裏蓋に設けられ、該裏蓋側から前記ロールフィルムに写し込みを行なうことができる。写し込み手段は、具体的にはＬＥＤまたは電球で構成されることが好ましい。
【００１１】
また本発明は、ロールフィルムを使用する写し込み機能付きカメラにおいて、ロールフィルムの撮影済の駒の境界を指示する境界指標を、前記ロールフィルムに写し込む写し込み手段を備えたことを特徴としている。この構成によれば、ロールフィルムに写し込まれた境界指標により駒内領域と駒外領域を判別し易くなり、ロールフィルムを容易に切断することができる。
【００１２】
【発明の実施の形態】
図１は、本発明を適用した一実施形態であるカメラの主要構成を示すブロック図である。本カメラ１はロールフィルムＦ（以下では単に「フィルムＦ」という）を使用する。カメラ１には、該カメラ１のシステムを総括的に制御するＣＰＵ１０が搭載されている。ＣＰＵ１０は、カメラ１の機能に関するプログラム等が書き込まれたＲＯＭ１０ａ及び各種パラメータ、レンズ情報などを一時的に記憶するＲＡＭ１０ｂを内蔵している。
【００１３】
ＣＰＵ１０には、分割測光ＩＣ１１、写し込みＬＥＤ１２、モータ駆動回路１５、フィルム給送制御フォトインタラプタ１６、露出制御回路１７、ＥＥＰＲＯＭ２１、測光スイッチＳＷＲ及びレリーズスイッチＳＷＲがそれぞれ接続されている。
【００１４】
分割測光ＩＣ１１は、図２に示すように被写体領域１００を第１〜第６測光領域１０１〜１０６に分割して測光することができ、各測光領域毎に、受光量に応じて光電変換した電気信号を測光信号（被写体輝度Ｂｖ）として出力する。本実施形態では、第６測光領域１０６が「被写体領域１００の外周部」に対応している。ＣＰＵ１０は、この分割測光ＩＣ１１から入力した被写体輝度Ｂｖ及びフィルム感度Ｓｖ等に基づく所定の露出演算（ＡＥ演算）から適正露出値Ｅｖを求め、適正シャッタ速度Ｔｖ及び適正絞り値Ａｖを求める。なお、図２において斜線が付されていない領域は、分割測光ＩＣ１１の不感領域（非測光領域）である。
【００１５】
写し込みＬＥＤ１２は、フィルムＦの所定領域に写し込みを行なう発光素子であり、ＣＰＵ１０からの制御信号に基づき点灯又は消灯する。図３に示されるように、写し込みＬＥＤ１２はカメラ１の裏蓋１ａに固定されている。この写し込みＬＥＤ１２から射出されたデータ光束は、写し込みレンズ１３及び厚板１４の開口部１４ａを経由して所定の写し込み領域に導かれ、フィルムＦの裏面から写し込まれる。写し込みレンズ１３には、不図示であるが、上記データ光束によって写し込み領域に形成されるドット配列を適当な向きに調整する反射面が備えられている。詳細は図示しないが本実施形態では、データ写し込みＬＥＤ１２が直線一列に７個配置されており、７×５ドットで表示された英数文字及び記号をフィルムに写し込む。
【００１６】
モータ駆動回路１５は、ＣＰＵ１０からの制御信号に基づき、フィルムＦの給送（巻上げ・巻戻し）を行なうメインモータＭの通電／非通電を制御する回路である。フィルム給送制御フォトインタラプタ１６は、フィルム給送時にフィルムＦのパーフォレーションの通過を検知する毎にパルスを発生させるもので、ＣＰＵ１０は、このフィルム給送制御フォトインタラプタ１６から発生されたパルス数が所定値に達すると、フィルムＦが１コマ分給送されたことを検知する。本実施形態では、フィルムＦの１駒分に相当するパーフォレーション数は８である。
【００１７】
露出制御回路１７は、絞り込み機構１８及びシャッタ駆動機構１９の動作を制御するもので、ＣＰＵ１０が算出した適正絞り値Ａｖまで絞りを絞り込ませると共に、適正シャッタ速度Ｔｖでシャッタユニット２０（図３）を開閉させる。ＥＥＰＲＯＭ２１は、撮影に関する各種データが格納される外部メモリ手段として機能し、その格納データは適時ＣＰＵ１０により読み出される。測光スイッチＳＷＳ及びレリーズスイッチＳＷＲは、シャッタボタン（不図示）の半押し及び全押しでオンされるスイッチ部材である。
【００１８】
上記構成のカメラ１は、フィルムＦの撮影済みの駒と撮影済みの駒との中間位置を指示する中間指標ＤをフィルムＦに写し込むことを特徴の一つとしている。本実施形態では、写し込みＬＥＤ１２による写し込み領域を、フィルムＦのフィルム上端または下端からパーフォレーションまでの間の領域としてある。図４及び図５に中間指標Ｄ（Ｄ１、Ｄ２）の一例を示す。図４（ａ）、（ｂ）に示される中間指標Ｄ１は、フィルムＦの上側または下側のみに写し込まれていて、線対称に並べた２つの三角形の対称中心位置で中間位置を指示している。図５に示される中間指標Ｄ２は、フィルムＦの上側及び下側に一対で写し込まれた三角指標であり、上下の三角指標を結ぶ直線Ｉ−Ｉで中間位置を指示している。すなわち、Ｉ−Ｉ線をフィルムＦの切断線とすることができる。このように中間指標Ｄが写し込まれていれば、該中間指標Ｄを目安としてフィルムＦを容易に切断することができ、従来のように撮影済みの駒内領域を誤って切断してしまう虞がない。この中間指標Ｄは、撮影済みの駒間の中間位置を指示できるものであれば、形状は問わない。
【００１９】
またカメラ１は、被写体領域全体又は被写体領域外周部の輝度に応じて、写し込み動作の有無を切り替えることを別の特徴としている。すなわち、被写体領域全体の輝度に応じて写し込み動作を切り替える場合は、フィルムの駒内領域と駒外領域との境界を視認しづらい程に被写体領域全体が低輝度であるときに写し込みを行ない、フィルムの駒内領域と駒外領域との境界をはっきり視認できる程度に被写体領域全体が高輝度であるときは写し込みを行なわない。また被写体領域外周部の輝度に応じて写し込み動作を切り替える場合は、被写体領域全体が明るくても被写体領域の外周部が暗いときに写し込みを行ない、被写体領域全体が暗くても被写体領域の外周部が明るいときは写し込みを行なわない。このようにフィルムの駒内領域と駒外領域との境界を見分けづらい場合のみ写し込み動作を行なう構成とすれば、消費電力の削減に大きく貢献することができる。
【００２０】
以上の写し込み動作は、図６のフローチャートに示されるように、レリーズスイッチＳＷＲのオンに連動して開始させることができる。図６に示す制御態様では、先ず、測光スイッチＳＷＳがオンされたときに（Ｓ１；Ｙ）、分割測光ＩＣ１１を介して第１〜第６測光領域１０１〜１０６の被写体輝度Ｂｖ１〜Ｂｖ６及び被写体領域１００全体としての被写体輝度Ｂｖを求める（Ｓ３）。
【００２１】
次に、被写体領域１００の外周部に対応する第６測光領域１０６の被写体輝度Ｂｖ６が、ロールフィルムＦの駒間領域を容易に視認できる基準輝度値以上であるか否かをチェックする（Ｓ５）。第６測光領域１０６の被写体輝度Ｂｖ６が基準輝度値以上であれば写し込み実行フラグに“０”をセットしてＲＡＭ１０ｂにメモリし（Ｓ５；Ｙ、Ｓ７）、基準輝度値以上でなければ写し込み実行フラグに“１”をセットしてＲＡＭ１０ｂにメモリする（Ｓ５；Ｎ、Ｓ９）。この写し込み実行フラグは、中間指標Ｄの写し込み動作を行なわせるか否かを判別するフラグである。
【００２２】
続いて、Ｓ３で求めた被写体輝度Ｂｖ（Ｂｖ１〜Ｂｖ６）及びフィルム感度Ｓｖに基づいて所定の露出演算を行ない、最適シャッタ速度Ｔｖ及び最適絞り値Ａｖを算出し（Ｓ１１）、レリーズスイッチＳＷＲがオンするまで待機する（Ｓ１３；Ｎ）。
【００２３】
そして、レリーズスイッチＳＷＲがオンしたら（Ｓ１３；Ｙ）、ＲＡＭ１０ｂにメモリされた写し込み実行フラグが“１”であるか否かをチェックし（Ｓ１５）、“１”であれば写し込みＬＥＤ１２を所定のパターンで点灯又は消灯させ、例えば図４や図５に示すような中間指標ＤをフィルムＦの駒間の中間位置に写し込み（Ｓ１５；Ｙ、Ｓ１７）、露出制御回路１７を介して露出処理を行ない（Ｓ１９）、フィルムＦを一駒分巻き上げる（Ｓ２１）。一方、写し込み実行フラグが“０”であれば（Ｓ１５；Ｎ）、写し込み動作は行なわず、露出制御回路１７を介して露出処理を行ない（Ｓ１９）、フィルムＦを一駒分巻き上げる（Ｓ２１）。なお、Ｓ２１では、巻上げ動作中にフィルムＦが終端に達したらフィルムＦの巻戻動作を行なう。
【００２４】
以上は、レリーズスイッチＳＷＲのオンに連動させて写し込み動作を開始させる制御態様であるが、図７に示すようにＳ２１の巻上げ動作に連動させて写し込み動作を開始させる制御態様も可能である。すなわち、図７に示す制御態様では、図６と同様にＳ１からＳ１３まで実行し、Ｓ１３でレリーズスイッチＳＷＲがオンしたら露出処理を実行してフィルムＦを１駒分巻き上げる（Ｓ１３；Ｙ、Ｓ１９、Ｓ２１）。そして、巻上げ動作が終了したときに写し込み実行フラグが“１”であるか否かをチェックし（Ｓ１５）、“１”であれば写し込みＬＥＤ１２を点灯または消灯させて中間指標Ｄをフィルムに写し込む（Ｓ１５；Ｙ、Ｓ１７）。一方、写し込み実行フラグが“０”であれば、写し込み動作は行なわない（Ｓ１５；Ｎ）。なお、この図示制御態様では、巻上げ動作終了時に写し込み動作するが、巻上げ処理中に写し込み動作することも勿論可能である。
【００２５】
また、上述した図６及び図７とは別の制御態様として、図８のフローチャートに示されるように、フィルム巻戻し動作時に一括して写し込み動作を行なわせることも可能である。すなわち、図８に示す制御態様では、図６と同様にＳ１からＳ１３まで実行し、Ｓ１３でレリーズスイッチＳＷＲがオンしたら露出処理を実行してフィルムＦを１駒分巻き上げる（Ｓ１３；Ｙ、Ｓ１９、Ｓ２１）。次に、フィルムＦがフィルム終端に達したか否かをチェックし（Ｓ２３）、フィルム終端に達していなければＳ１へ戻る（Ｓ２３；Ｎ）。フィルム終端に達していたら（Ｓ２３；Ｙ）、変数ｎに撮影済みの駒数をメモリし（Ｓ２５）、モータ駆動回路１５を介してメインモータＭを駆動させ、フィルムＦの巻戻動作を開始させる（Ｓ２７）。続いて、ｎ番目の駒を撮影する際にメモリした写し込み実行フラグが“１”であるか否かをチェックし（Ｓ２９）、“１”であればｎ番目の駒と（ｎ−１）番目の駒との中間位置に中間指標Ｄを写し込む（Ｓ２９；Ｙ、Ｓ３１）。一方、“１”でなければＳ３１をスキップして写し込み動作は行なわない（Ｓ２９；Ｎ）。そして、変数ｎを１減算してフィルムが１駒分巻戻されるまで待機し（Ｓ３３、Ｓ３５；Ｎ）、１駒分の巻戻しが完了したら変数ｎが０に達したか否かをチェックし（Ｓ３５；Ｙ、Ｓ３７）、変数ｎが０に達していなければ上記Ｓ２９〜Ｓ３５の動作を繰り返す（Ｓ３７；Ｎ）。一方、変数ｎが０に達したら、モータ駆動回路１５を介しメインモータＭを停止させて巻戻動作を終了する（Ｓ３７；Ｙ、Ｓ３９）。
【００２６】
以上の図６〜図８に示す制御態様では、被写体領域１００の外周部（第６測光領域１０６）の被写体輝度Ｂｖ６に基づき写し込み動作の有無を切り替えているが、被写体領域１００全体の被写体輝度Ｂｖに基づき写し込み動作の有無を切り替えてもよい。すなわち、Ｓ５において、被写体領域１００全体の被写体輝度Ｂｖが基準輝度値以上であるか否かをチェックする態様としてもよい。
【００２７】
以上の本実施形態では、写し込みＬＥＤ１２による写し込み領域を、フィルムＦのフィルム上端または下端からパーフォレーションまでの間の領域としてあるが、種々の変形が可能である。例えば、写し込みＬＥＤ１２として、フィルムＦのパーフォレーション間に撮影データ等を写し込むパーフォレーション間写し込みＬＥＤを用いれば、図９に示すように、シャッタ速度Ｔｖや絞り値Ａｖ等の撮影データと同様に中間指標Ｄ３をパーフォレーション間に写し込むことができる。また、写し込みＬＥＤ１２として、フィルムＦの駒内領域に日付データを写し込む日付データ写し込みＬＥＤを用いれば、図１０に示すように、駒内領域に写しこまれた日付データと同じ高さ位置（同一直線上）に、中間指標Ｄ４が写し込まれる。
【００２８】
また本実施形態では、フィルムの撮影済みの駒と撮影済みの駒との中間位置を示す中間指標を写し込んでいるが、図１１に示すように、フィルムの駒内領域と駒外領域の境界を示す境界指標Ｄ’を写し込む構成とすることも可能である。この境界指標Ｄ’によれば、駒内領域と駒外領域を判別し易くなり、本実施形態と同様にロールフィルムを容易に切断することができる。
【００２９】
また本実施形態では、写し込みＬＥＤ１２をカメラ裏蓋１ａに設けてカメラ裏蓋１ａ側（後方側）からフィルムＦに写し込んでいるが、写し込みＬＥＤ１２をカメラ１のボディ側に設けてカメラボディ側（前方側）からフィルムＦに写し込む態様とすることも勿論可能である。
【００３０】
さらに本実施形態では、中間指標ＤをフィルムＦに写し込む手段としてＬＥＤを用いているが、ＬＥＤの替わりに電球を用いてもよい。
【００３１】
【発明の効果】
本発明によれば、ロールフィルムの駒と駒の中間位置を指示する中間指標が写し込まれているので、撮影済みのロールフィルムを容易に切断することができる。
【図面の簡単な説明】
【図１】本発明を適用したカメラの一実施形態の主要構成を示すブロック図である。
【図２】撮影領域と各測光領域との位置関係を示す模式図である。
【図３】写し込みＬＥＤ近傍の構造を示す部分断面図である。
【図４】（ａ）（ｂ）中間指標の一実施例を示す平面図である。
【図５】中間指標の一実施例を示す平面図である。
【図６】写し込み動作の第１制御態様を示すフローチャートである。
【図７】写し込み動作の第２制御態様を示すフローチャートである。
【図８】写し込み動作の第３制御態様を示すフローチャートである。
【図９】パーフォレーション間写し込みＬＥＤによって写し込まれた中間指標の一例を示す平面図である。
【図１０】日付データ写し込みＬＥＤによって写し込まれた中間指標の一例を示す平面図である。
【図１１】ロールフィルムの駒内領域と駒外領域との境界を示す境界指標の一例を示す平面図である。
【符号の説明】
１　　カメラ
１ａ　裏蓋
１０　　ＣＰＵ
１０ａ　ＲＯＭ
１０ｂ　ＲＡＭ
１１　　分割測光ＩＣ（分割測光手段）
１２　　写し込みＬＥＤ（写し込み手段）
１３　　写し込みレンズ
１４　　厚板
１４ａ　開口部
１５　　モータ駆動回路
１６　　フィルム給送制御フォトインタラプタ
１７　　露出制御回路
１８　　絞り込み機構
１９　　シャッタ駆動機構
２０　　シャッタユニット
１００　被写体領域
１０１　第１測光領域
１０２　第２測光領域
１０３　第３測光領域
１０４　第４測光領域
１０５　第５測光領域
１０６　第６測光領域（撮影領域の外周部）
Ｆ　　　ロールフィルム
Ｄ　　　中間指標
【図１】
2004061607.tif 000003
【図２】
2004061607.tif 000004
【図３】
2004061607.tif 000005
【図４】
2004061607.tif 000006
【図５】
2004061607.tif 000007
【図６】
2004061607.tif 000008
【図７】
2004061607.tif 000009
【図８】
2004061607.tif 000010
【図９】
2004061607.tif 000011
【図１０】
2004061607.tif 000012
【図１１】
2004061607.tif 000013